(57)【要約】【課題】ドラム式洗濯機の水槽と衣類取出口とを連結するパッキング部材を確実に固定することを目的とする。【解決手段】周方向に複数分割した取付板１７と前面板１３とでパッキング部材１６を挟持固定したものである。取付板１７を分割する事で均等な力がパッキング部材１６に働き、パッキング部材１６を前面板１３にしっかりと固定でき、漏水等を防ぎ、漏電などの問題を解決し安全なドラム式洗濯機を提供する。【選択図】図２
2005143795.tif 000002
【特許請求の範囲】
【請求項１】
本体と、この本体の前方部を覆い第１開口部を有する前面板と、前記第１開口部を開閉自在に覆う蓋体と、第２開口部を前面に有し洗濯物を収容する回転ドラムと、前記第２開口部に対応する第３開口部を有し前記回転ドラムを内包する水槽と、前記第１開口部と前記第３開口部とを連結する略円筒状のパッキング部材とを備え、前記パッキング部材の前記前面板側の端部は前記前面板の前面側と環状の取付板の裏面側とで狭持して固定され、かつ前記取付板を周方向に複数に分割する構成としたドラム式洗濯機。
【請求項２】
本体が左右に分割され、少なくとも前面板によって結合される構成とした請求項１記載のドラム式洗濯機。
【請求項３】
前面板の前方を樹脂製パネル部材で覆う構成とした請求項１または２に記載のドラム式洗濯機。
【発明の詳細な説明】
【技術分野】
【０００１】
本発明は、水槽の水が本体内部又は外部に漏れないように設けられたパッキング部材を有するドラム式洗濯機に関するものである。
【背景技術】
【０００２】
ドラム式洗濯機は、洗濯機を収容する回転ドラムと、この回転ドラムを内包する水槽とが地面に対して水平もしくは角度を設けて設置されている。
【０００３】
しかし、このような構造では、洗濯や脱水の際、上記水槽内に溜められた水が洗濯機内部又は外部に漏れてしまう。
【０００４】
そのため、水槽の開口部と外装となる板に設けられた洗濯物を出し入れするための開口部との間に円筒状のパッキング部材が取り付けられている。パッキング部材の外装板側は、環状の取付板を外装板の裏面側より取り付けることにより、外装板と環状の取付板とにより挟持されている。
【０００５】
このような構造によって上記パッキング部材は洗濯機本体の内外への水漏れ等を防ぐことができる（例えば、特許文献１参照）。
【特許文献１】特開平１０−２１１３８２号公報
【発明の開示】
【発明が解決しようとする課題】
【０００６】
しかしながら、前記従来の構成では、パッキング部材を取り付けるための取付板は本体の前面の裏面側に前方よりネジで取り付けるため、作業性の悪いものであった。また、取付板は、環状の形状であったため、変形していたりすると、パッキング部材を狭持する力が均等に加わらず、パッキング部材をしっかり固定できないという課題があった。
【０００７】
本発明はこのような従来の課題を解決したもので、パッキング部材を本体によって支持された板に作業性よく、しっかり固定することを目的としたものである。
【課題を解決するための手段】
【０００８】
前記従来の課題を解決するために、本発明のドラム式洗濯機は、前面板の前面側と周方向に複数分割した取付板の裏面側とでパッキング部材を固定したものである。
【０００９】
これによって、取付板を前方より取り付けるので作業性を向上させることができるとともに、取付板を複数に分割する構成としたので、均等な力がパッキング部材に働き、パッキング部材を本体によって支持された板にしっかりと固定できる。
【発明の効果】
【００１０】
本発明のドラム式洗濯機は、パッキング部材を本体に支持された板に作業性よく、しっかり固定できることから、水漏れを防ぐことができる。
【発明を実施するための最良の形態】
【００１１】
第１の発明は、本体と、この本体の前方部を覆い第１開口部を有する前面板と、前記第１開口部を開閉自在に覆う蓋体と、第２開口部を前面に有し洗濯物を収容する回転ドラムと、前記第２開口部に対応する第３開口部を有し前記回転ドラムを内包する水槽と、前記第１開口部と前記第３開口部とを連結する略円筒状のパッキング部材とを備え、前記パッキング部材の前記前面板側の端部は前記前面板の前面側と環状の取付板の裏面側とで狭持して固定され、かつ前記取付板を周方向に複数に分割する構成としたドラム式洗濯機とすることにより、作業性を向上させることができるとともに、パッキング部材をしっかり固定することができ、これにより水漏れを防ぐことができる。
【００１２】
本体が左右に分割され、少なくとも前面板によって結合することで、組立が簡単になり、さらに作業性が良くなる。
【００１３】
前面板の前方を樹脂製パネル部材で覆うことで、樹脂製パネル部材とパッキング部材が直接的に連結されず、振動が樹脂製パネルに伝わることなく振動や騒音を抑えることができる。
【００１４】
以下、本発明の実施の形態について、図面を参照しながら説明する。なお、この実施の形態によって本発明が限定されるものではない。
【００１５】
（実施の形態１）
図１、２において、前面をなだらかな上方後退曲面とした本体１の内部には、周壁に多数の孔２を有するとともに、複数のバッフル３を内周より突出させた回転ドラム４およびこの回転ドラムを内包した水槽５が配置してある。
【００１６】
本実施例のドラム式洗濯機の動作について、以下に説明する。洗濯動作時には、外槽４下部に水をためておき、回転ドラム３を回転させる。回転ドラム３内に収納された衣類などはバッフル２で上方へ持ち上げられ、所定位置でこのバッフルから解放されて外槽４にためられた水面に落下するもので、いわゆる”たたき洗い”がなされるものである。
【００１７】
洗濯工程が完了するとすすぎ工程などを経て脱水工程に入る。この脱水工程において、水槽５の水は排水され、回転ドラム４が高速で回転される。したがって、衣類の水分は遠心力で周囲に飛散され、その後、回転ドラム４の孔２から水槽５に流出し、所定の排水経路から廃棄されるようにしてある。
【００１８】
乾燥機能を併せもつものでは、脱水工程のあと、回転ドラム４を低速回転させつつ温風をその中に供給する。循環方式を採用したものでは、乾燥に供された後の高湿の空気が回転ドラム４の孔２から出て行き、次いで冷却されて除湿がなされる。除湿空気はヒータで加熱されて温風となり、再度回転ドラム４の背後よりその内部に還流することとなる。
【００１９】
回転ドラム４の回転軸心は前方が高位となる傾斜状に設定してあり、そのため、前記回転ドラム４のドラム開口部６が本体１のなだらかな前部曲面上方に解放されるようにしてある。加えて、ドラム４のドラム開口部６は垂直に対して約３０度傾斜しており、これら要素によって回転ドラム４に対する衣類の出入を容易としている。
【００２０】
回転ドラム４のドラム開口部６は本体１のプラスチックスで成形された曲面状のパネル部材７に設けた衣類投入のための前方開口部８ａを有する開口部材８に連なっており、またこの開口部材８の前方開口部８ａは蓋体９で開閉されるようにしてある。
【００２１】
本体１は、分割された板金製の左右側板１０、着脱可能な背面板１１、前記左右側板を連結する複数の板金製の連結板、合成樹脂からなる天板１２および前記パネル部材７で構成されている。
【００２２】
複数の連結板のうちパネル部材７の内部に位置する前面板１３には前記回転ドラム４のドラム開口部６と対応して円形の前面板開口部１４が形成してある。上記前面板１３は、その前方がパネル部材７で覆われている。
【００２３】
回転ドラム４を内包する水槽５の水槽開口部１５も前記衣類投入のための前方開口部８ａを有する開口部材８の内側で、しかも前面板１３の前面板開口部１４と対向する位置にあるもので、これら水槽５の水槽開口部１５と前面板１３の前面板開口部１４との間の間隔はゴムなどの弾性材からつくられた環状筒状のパッキング部材１６で密閉されて、同間隔からの本体１内への水の侵入を防止するようになっている。
【００２４】
また、閉じた蓋体９の外周が前記パッキング部材１６のリップ部１６ａの内周面に当ってこれら両者間のシールを行なうようにしており、したがって、蓋体９の外周から水とか蒸気が漏れ出ることがないようにしてある。
【００２５】
また、図３に示すように、前記パッキング部材１６の前面板１３側にはフランジ部１６ｂが設けられ、そのフランジ部１６ｂは、取付板１７を前面から前面板１３にネジ２１によりネジ止め固定することにより、前面板１３に設けた凹部１３ａと取付板１７に設けた凸部１７ａとによって、挟持固定されている。
【００２６】
図４に示すように、取付板１７は複数に周方向に分割されている。取付板１７が一枚の環状であれば、それが変形していたりしている場合、パッキング部材１６に均等に力を加えることができず、外れてしまうといった恐れがあるが、取付板１７を分割することで、パッキング部材１６に偏りなく均等に力を加えることができ、パッキング部材１６を前面板１３にしっかり固定できる。これにより、パッキング部材が外れるのを防止できるとともに、水漏れを防ぎ、それによって漏電などの問題を解決することができる。
【００２７】
また、一枚の環状の場合は、開口部分の材料を破棄することとなるが、このように分割にすることにより、破棄する材料を減らすことができるため、コストダウンも実現することができる。
【００２８】
なお、図４に示す本実施例では、取付板１７を４分割としているが、取付板１７の分割数に制限はない。
【００２９】
前面板１３の前方にパネル部材７を配置しているため、前面板１３にパッキング部材等が取り付けることができ、外観を損なうこと無く、取付板１７を前面板１３の前面から取り付けることができる。このことは、外観を損なわないということだけでなく、パッキング部材１６が外装となるパネル部材７に直接連結されていないことによるパネル部材７への振動や騒音を低減させるという効果も有している。
【００３０】
なお、本実施例では、前面板１３の前面に取付板１７を用いてパッキング部材１６を挟持したが、従来のドラム式洗濯機のように外装の背面から挟持することも考えられる。
【００３１】
前記パネル部材７の上方には、各種スイッチ操作部１８、表示部１９などを配置した操作パネル２０が取り付けられている。
【産業上の利用可能性】
【００３２】
以上のように本発明にかかるドラム式洗濯機によれば、安い材料代で、パッキング部材を本体に支持された板にしっかり固定できることから、水漏れを防ぎ漏電等を回避でき、安全な洗濯機を家庭に提供することができる。
【図面の簡単な説明】
【００３３】
【図１】本発明の実施例１におけるドラム式洗濯機の斜視図
【図２】ドラム式洗濯機の側面断面図
【図３】パッキング部材周辺の拡大断面図
【図４】前面板の正面図
【符号の説明】
【００３４】
１  本体
４  回転ドラム
５  水槽
６  ドラム開口部（第２開口部）
７  パネル部材
９  蓋体
１３  前面板
１４  前面板開口部（第１開口部）
１５  水槽開口部（第３開口部）
１６  パッキング部材
１７  取付板
【図１】
2005143795.tif 000003
【図２】
2005143795.tif 000004
【図３】
2005143795.tif 000005
【図４】
2005143795.tif 000006